(57)【特許請求の範囲】
【請求項１】
ハウス骨組み、ハウス骨組みを被覆する被覆材等からなる農業用ハウスであって、
被覆材は、平網状部と透明フィルム部からなり、少なくともハウスの屋根部には平網状部をハウス長手方向に帯状に設け、
ハウスの屋根部の平網状部は、被覆シートにより被覆され、
被覆シートの一端部は、平網状部よりもハウス天頂部側の透明フィルム部に接合され、非接合側端部は巻き取り用ローラーに固定され、
該巻き取り用ローラーは回動装置に連結され、巻き取り用ローラーの回動により被覆シートが開閉される農業用ハウスにおいて、
該平網状部が被覆シートにより被覆された状態において、巻き取り用ローラーと平網状部との間に、巻き取り用ローラーと略平行にハウス骨組みに凸状部材を設け、該凸状部材によってできるフィルムの盛り上がりに巻き取り用ローラーが接触していること、又は被覆シートを介して巻き取り用ローラーが接触していることによって、被覆シートが捲れ上がりにくくしたことを特徴とする農業用ハウス。
【請求項２】
平網状部が被覆シートにより被覆された状態において、凸状部材が、少なくとも巻き取り用ローラーのハウス天頂部側と、地面側の２カ所に設けられた請求項１記載の農業用ハウス。
【発明の詳細な説明】
【０００１】
【発明の属する技術分野】
本発明は、農業用ハウスに関し、詳しくは屋根部に開閉自在の被覆シートにより被覆された平網状部を有し、ハウス内の温度、湿度の調節が容易で、かつ被覆シートが風等で簡単に剥がれにくくした農業用ハウスに関する。
【０００２】
【従来の技術】
従来、農業用ハウス内で農作物を栽培する場合、ハウス内が高温になりすぎたり、湿度が高くなりすぎたりして、農作物に悪影響を与えることがある。このため、農業用ハウスの肩部や谷部、あるいは屋根部を開放し、ハウス内を換気して温度や湿度を調節する必要がある。
そこで、ハウスの屋根部に平網状部を設け、該平網状部を被覆シートで被覆したり、被覆シートを剥がしたりして、ハウス内の温度や湿度を調節するハウスが発明されたが、強風雨により被覆シートが剥がされ、平網状部から風雨が入り込み、ハウス全体を被覆している被覆材までもが、風に飛ばされるという問題が生じた。
【０００３】
【発明が解決しようとする課題】
そこで、特開平７−２３１７２４号のように、ハウスの屋根部に平網状部を設け、被覆シートで被覆して、押さえ用バンドを掛けて、被覆シートを押さえるというハウスが発明されたが、この押さえ用バンドでも、強風による被覆シートの剥離を防止するには充分ではなかった。
【０００４】
また、特開平９−２７５８１９号のように、被覆シートを紐状体を用いて固定するハウスも発明された。しかしながら、紐状体を用いて被覆シートを固定したハウスにおいては、被覆シートの巻き上がりはないものの、被覆シートとハウス全体を被覆している被覆材との間に風が入り込み、風が平網状部を通ってハウス内に入ってくるため、ハウスの被覆材が剥がれるという問題が生じた。
【０００５】
【課題を解決するための手段】
本発明は上記の課題を解決するためになされたものであり、ハウス骨組み、ハウス骨組みを被覆する被覆材等からなる農業用ハウスであって、
被覆材は、平網状部と透明フィルム部からなり、少なくともハウスの屋根部には平網状部をハウス長手方向に帯状に設け、
ハウスの屋根部の平網状部は、被覆シートにより被覆され、
被覆シートの一端部は、平網状部よりもハウス天頂部側の透明フィルム部に接合され、非接合側端部は巻き取り用ローラーに固定され、
該巻き取り用ローラーは回動装置に連結され、巻き取り用ローラーの回動により被覆シートが開閉される農業用ハウスにおいて、
該平網状部が被覆シートにより被覆された状態において、巻き取り用ローラーと平網状部との間に、巻き取り用ローラーと略平行にハウス骨組みに凸状部材を設け、該凸状部材によってできるフィルムの盛り上がりに巻き取り用ローラーが接触していること、又は被覆シートを介して巻き取り用ローラーが接触していることによって、被覆シートが捲れ上がりにくくしたことを特徴とする農業用ハウス、又は平網状部が被覆シートにより被覆された状態において、凸状部材が、少なくとも巻き取り用ローラーのハウス天頂部側と、地面側の２カ所に設けられた請求項１記載の農業用ハウス。
【０００６】
本発明の農業用ハウスに使用される被覆材の透明フィルム部分については、従来より使用されているポリ塩化ビニル、塩化ビニルと他のモノマー、例えば、塩化ビニリデン、アクリロニトリル、マレイン酸、マレイン酸エステル、イタコン酸、アクリル酸、メタクリル酸、アクリル酸エステル、メタクリル酸エステル、エチレン、プロピレン、酢酸ビニル、高級ビニルエーテル等との共重合体、あるいはこれらのブレンド物などからなる塩化ビニル系樹脂フィルム、ポリエチレンフィルム、エチレン−酢酸ビニル共重合樹脂フィルム、エチレン−アクリル酸共重合樹脂フィルム、エチレン−アクリル酸エステル共重合樹脂フィルム、エチレン−メタクリル酸共重合樹脂フィルム、エチレン−メタクリル酸エステル共重合樹脂フィルム、ポリエステルフィルム等のポリオレフィン系樹脂フィルムなどが使用できる。
また、これらのフィルムを積層した多層フィルムであってもよい。
【０００７】
また、上記フィルムは、各種特性を付与することを目的として、防曇剤、防霧剤、可塑剤、熱安定剤、光安定剤、紫外線吸収剤、滑剤、抗酸化剤、充填剤、着色剤、防カビ剤、防藻剤、有機リン系金属塩等の各種添加剤を添加した樹脂組成物を成形したものであってもよいし、表面に架橋もしくは非架橋のアクリル系樹脂などからなる被膜を形成したものや、表面にエンボス加工などによって微細凹凸を形成したものであってもよい。
また、２枚の透明軟質合成樹脂フィルムの間に複数本の繊維状あるいは短冊状の補強部材を挟み込んでなる積層フィルムであってもよい。
【０００８】
本発明の農業用ハウスに使用される被覆材の平網状部は、例えば合成樹脂製の細テープを延伸して形成される合成樹脂製平糸を縦横に組み合わせ、熱融着や接着剤による接着等により網状に形成した合成樹脂製平網シートや、前記の合成樹脂製平糸を縦横斜めに組み合わせて熱融着や接着剤による接着等により網状に形成した合成樹脂製平網シートなどの他に、これらに天然繊維や合成繊維よりなる補強糸を一定間隔で組み合わせた補強合成樹脂製平網シートなどが使用できる。
【０００９】
この合成樹脂製平網シートとしては、空隙率（平網状部の総面積中の平糸が存在しない部分の面積の割合）が１０〜５０％程度のものが好ましく、さらに好ましくは、空隙率が２０〜４０％のものである。空隙率が小さすぎると、温度や湿度の調節がきちんとできなくなる傾向があり、逆に大きすぎると、農業用ハウスの保温性を損なう傾向がある。
【００１０】
上記合成樹脂製平網シートを形成する合成樹脂としては、塩化ビニル系樹脂、ポリエチレン、ポリプロピレン、エチレン−酢酸ビニル共重合樹脂、エチレン−アクリル酸、エチレン−アクリル酸エステル、エチレン−メタクリル酸、エチレン−メタクリル酸エステル、ポリビニルアルコール、ポリエステル、ポリアミドなどがあげられる。
【００１１】
上記の合成樹脂製平網シートの具体的製品としては、ポリエチレン製の平網シートである日石ワリフＨＳ、日石ワリフＳ、日石ワリフＥＸ（商品名：日石合成樹脂製品株式会社製）やタフベル、ベルツーキ、ベルタフ、ベルキュスイ（商品系：鐘紡株式会社製）等があげられる。
【００１２】
本発明の被覆材は、上記の透明フィルムと平網状部を予め接着剤による接着、高周波融着、超音波接着、熱融着などの手段により接合したものであってもよいし、後述するように、透明フィルムと平網状部を直接接合せずに、一つの被覆材固着用部材に透明フィルム及び平網状部の端部を固着することによって間接的に接合したものであってもよい。
【００１３】
本発明の農業用ハウスは、少なくともハウスの屋根部に平網状部を設けたものである。このハウス屋根部（地面とほぼ垂直な面をハウス側面部とし、側面部以外でハウスの上部を形成している部分）における平網状部の占める割合は、屋根部の総面積の０．５〜２０％程度とするのが好ましく、更に好ましくは屋根部の総面積の３〜１０％である。平網状部が占める割合が少なすぎると、温度や湿度の調節をしづらい傾向があり、平網状部の占める割合が多すぎると農業用ハウスの保温性を損なう傾向がある。
また、該平網状部を頂点部近傍に設けると、換気の効率がよく、好ましい。
【００１４】
被覆材を展張する方法としては、被覆材が透明フィルムと平網状部を予め接合したものである場合には、従来の軟質塩化ビニル系樹脂フィルムなどを被覆材として用いた場合と同じである。
また、透明フィルムと平網状部が予め接合されていない被覆材を使用する場合であっても、透明フィルムと平網状部とが接合されるべき箇所に被覆材固着用部材を設けておき、その被覆材固着用部材に、透明フィルム及び平網状部の端部を固着する以外は、従来の塩化ビニル系樹脂フィルムなどを被覆材として用いた場合と同じである。
【００１５】
上記の平網状部は、ハウス屋根部以外の箇所、例えばハウスの側面などに設けることもできる。勿論、平網状部をハウス屋根部以外に設けた場合であっても、換気作業効率の向上のため、ハウス屋根部と同様に、開閉自在の被覆シートによって平網状部を被覆することもできる。
また、従来の農業用ハウスに見られたように、換気作業をより効率化するために、ハウス側面を被覆する被覆材を巻き上げ可能とすることもできる。
【００１６】
農業用ハウス骨組みに展張された被覆材の平網状部は、一端部が被覆材に接合された被覆シートによって被覆されている。被覆シートは、接着剤による接着、高周波融着、超音波融着、熱融着などの手段にて、被覆材の所定位置に予め接合されていてもよいし、被覆材の透明フィルムと平網状部の接合部及び被覆シートの一端部をハウス骨組みに固定された一つの被覆材固着用部材に固着して、被覆シートの一端部が間接的に被覆材の透明フィルムと平網状部のハウス天頂部に近い側の接合部近傍等に接合されたものであってもよい。
また、被覆材と被覆シートが予め接合されているものを使用する場合であっても、被覆材と被覆シートとの接合部を、ハウス骨組みに固定された被覆材固着用部材に固着しておくのが望ましい。こうすることで、ハウス屋根部の被覆材が強固に固定されるため、特開平７−２３１７２４号にあるように、被覆材のみを先にバンドで固定しておかなくても、緩めに押さえ用バンドを掛けることができ、被覆シート巻き取り用ローラーの回転を妨げることがない。
【００１７】
被覆シートの非接合側端部は、回動装置に連結した巻き取り用ローラーに固定されており、この巻き取り用ローラーを回動させることによって、被覆シートは巻き取り用ローラーに巻き取られ、あるいは巻き戻されて、被覆シートは開閉されるようになっている。本発明に使用される巻き取り用ローラーに連結される回動装置は、特に限定されるものではなく、従来より屋根部や側面部を被覆する被覆材などを巻き上げるために使用されるものであれば、いかなるものであってもよい。
【００１８】
上記の被覆シートとしては、被覆材の透明フィルムと同様の樹脂からなるシートが使用できるが、特に、巻き上げ及び巻き戻し作業がスムーズに行い得るものを選択する。例えば、従来より被覆材として広く使用されている軟質塩化ビニル系樹脂フィルムを被覆シートとして使用する場合には、厚さが０．１５〜１．５ｍｍのものが好ましく、更に好ましくは、０．２〜１．０ｍｍである。
また、一方の面に防塵性の被膜を形成するとともに、他方の面にエンボス加工などによって微細な凹凸を形成すると、防塵性があり、被覆材にべたつくことがなく、好ましい。
さらに、２枚の透明軟質合成樹脂フィルムの間に複数本の繊維状あるいは短冊状の補強部材を挟み込んでなる積層シートも好適に使用できる。
【００１９】
また、本発明の農業用ハウスにおいて、降雨時などには、上記の被覆シートと巻き取り用ローラーの間に形成されるＶ字谷状部等に、水が溜まりやすいが、それを防止するために、被覆シートに水抜きのための小孔を適宜数設けておくこともできる。勿論、この水抜きのための小孔があまり大きすぎると、被覆シート事態の強度を損なうばかりでなく、農業用ハウス事態の保温性等を損なうので、必要最小限の大きさとするのが望ましい。
【００２０】
また、特に大型の農業用ハウスである場合には、巻き取り用ローラーの回動装置連結側と非連結側とで、シートの巻き上げ、巻き戻し速度に差が生じやすいが、それを防止するために、巻き取り用ローラーの回動装置に連結していない側端部に、おもりを装填しておくのが望ましい。
【００２１】
従来は、図５のような構造をとっていたため、強風が吹くことにより、巻き取り用ローラーが巻きあがったり、被覆シートが捲れあがる等の不具合が生じていた。
そこで、本発明は、平網状部を被覆シートで被覆した状態において、巻き取り用ローラーよりもハウス天頂部側に凸状部材を設けたことを特徴とするものである。該凸状部材の主な機能としては、強風等で巻き取り用ロールが巻き上がり、平網状部が露出するのを防止するものである。
図１又は２のように、ハウスに向かって強風が吹いた場合には、凸状部材の存在により、巻き取り用ローラーがハウス頂点部に向かって巻き上がるのを阻止することができる。
また、凸状部材の上で被覆材と被覆シートが接触するため、より強固に風雨の侵入を防ぐことができる。
平網状部を有しない被覆材を用いる場合には、凸状部材は不要となるため、該凸状部材は着脱自在であることが好ましい。
【００２２】
上記凸状部材は、合成樹脂で形成させると、軽く、蓄熱して被覆材を劣化させることも少ないので、好ましい。また、凸状部材を形成するための合成樹脂には、被覆材や被覆シートと同様に各種添加剤を加えることもできる。さらに、塩化ビニル系樹脂製の被覆材を使用する場合には、オレフィン系樹脂製の凸状部材を用いると好ましい。
【００２３】
上記凸状部材の形状は、特に限定されるものではない。例えば、図３，４のように農業用ハウスの長手方向に一本の四角柱型凸状部材を設けることができるし、農業用ハウスの長手方向に断続的な複数本の四角柱型凸状部材を設けることもできる。
また、半円柱や円柱、楕円柱、三角柱等の凸状部材でもかまわない。
【００２４】
上記凸状部材の高さとしては、被覆シートを平網状部に被せた状態における巻き取り用ローラーの直径と余分の被覆シートの厚さを加えた高さの１５〜７５％程度が好ましく、更に好ましくは、４０〜７０％である。
凸状部材の高さが高すぎると、被覆シートを巻き取る作業が行いずらくなる傾向があり、低すぎると、強風により巻き取り用ローラーが凸状部材を乗り越えてしまう傾向がある。
【００２５】
本発明では、平網状部が被覆シートにより被覆された状態において、巻き取り用ローラーと平網状部との間に、巻き取り用ローラーと略平行にハウス骨組みに凸状部材を設け、該凸状部材によってできるフィルムの盛り上がりに巻き取り用ローラーが接触している、又は被覆シートを介して巻き取り用ローラーが接触していることによって、風雨の侵入を防ぐことができる。
【００２６】
本発明の農業用ハウスには、被覆シートの捲り上がり防止効果をより高めるために、被覆シート上に特開平７−２３１７２４号に開示されているように押さえ用バンドを掛けてもよい。
さらに、特開平９−２７５８１９号に開示されている紐状体を併用して固定することもできる。
【００２７】
また、本発明では、凸状部材によってできるフィルムの盛り上がりに巻き取り用ローラーが接触している、又は被覆シートを介して巻き取り用ローラーが接触していることによって、ローラーの下をくぐって侵入しようとする風雨を抑止するため、巻き取り用ローラー又は被覆シートに覆われた巻き取り用ローラーは凸状部によってできるフィルムの盛り上がり部分に接するように固定することが好ましい。
その一例としては、平網状部が被覆シートによって被覆されている状態において、巻き取り用ローラーをはさんで天頂部側と反対側（地面側）にも凸状部材を設けることによって、巻き取り用ローラーと被覆シートの間、被覆シートと被覆材の間に、風雨が入り込もうとするのをより強固に防ぐことができる。
また、地面側の凸状部材によってできるフィルムの盛り上がりが、巻き取り用ローラーに接触することによって、さらに強固に風雨の侵入を防げると共に、巻き取り用ローラーの余分な回動を抑え、固定することが可能となるし、被覆シートに大きな張力が掛かることもなくなる。
【００２８】
さらに、平網状部よりも天頂部側にも凸状部材を設けることによって、被覆シートを巻き上げた場合に、該凸状部材で巻き取り用ローラーを固定することができる。
【００２９】
通常、大きな農業用ハウスは、後述する接合部材と固定材を用いて、被覆材をハウス骨組みに固定する。接合部材と固定材を合わせたものが、上記［００２４］の凸状部材の条件（被覆シートを平網状部に被せた状態における巻き取り用ローラーの直径と余分の被覆シートの厚さを加えた高さの１５〜７５％の高さを有すること）に合致している場合には、接合部材、固定材を凸状部材の代わりとして代用することもできる。
【００３０】
【実施例】
以下、本発明の具体的な実施例を図面に基づき説明するが、本発明は以下に説明する実施例に限定されるものではない。図１，２は本発明の農業用ハウスの一実施例を示す断面図である。
【００３１】
［実施例１］
図１に示す農業用ハウスは、長手方向長さが３４ｍ、幅５．４ｍの農業用ハウスである。
ハウス骨組みには、高さ６ｃｍ、長さ３４ｍの１本の凸状部材を固定した。凸状部材１６（風殺し用の桟）は平網状部が被せられる予定の場所よりも地面側に固定した。
被覆材は、幅５０ｃｍの平網状部と透明フィルム部が、高周波融着により予め接合されたものであり、この被覆材でハウス骨組みを被覆した。
ハウス骨組みに固定された略「コ」字状の接合部材と、金属製の棒状体をジグザグ状に折り曲げた固定材とによって、被覆材はハウス骨組みに固定し、さらにその上から、固定材を介して固定用バンドを掛けた。（接合部材、固定材、固定用バンドは図示しない。）
また、被覆シートの一端は、直径１２ｃｍの巻き取り用ローラー１５に固定し、被覆シートが張った状態で、巻き取り用ローラーが凸状部材によるフィルムの盛り上がりに接触するように、被覆シートの他端を接合部材と固定材によって、被覆材と接合させた。
【００３２】
図１のように、風が吹いても、凸状部材によって、巻き取り用ローラーが巻き上がることや巻き取り用ローラーの下をくぐって侵入しようとする風雨を抑止することができた。
【００３３】
［実施例２］
図２に示す農業用ハウスは、長手方向長さが３４ｍ、幅５．４ｍの農業用ハウスである。
ハウス骨組みには、高さ６ｃｍ、長さ３４ｍの２本の凸状部材２６ａ、２６ｂと１本の巻き取り用ローラー固定部材２７を固定した。巻き取り用ローラー固定部材２７は平網状部が被さる予定の場所よりも天頂部側に、１本目の凸状部材２６ａ（風殺し用の桟）は平網状部が被さる予定の場所よりも地面側に、２本目の凸状部材２６ｂは１本目よりも１０ｃｍ地面側に固定した。
被覆材は、幅５０ｃｍの平網状部と透明フィルム部が、高周波融着により予め接合されたものであり、この被覆材でハウス骨組みを被覆した。
ハウス骨組みに固定された略「コ」字状の接合部材と、金属製の棒状体をジグザグ状に折り曲げた固定材とによって、被覆材はハウス骨組みに固定し、さらにその上から、固定材を介して固定用バンドを掛けた。（固定用バンドは図示しない。）
また、被覆シートの一端は、ハウス天頂部を挟んで平網状部がある側と反対側の屋根部に、上記接合部材と固定材によって接合し、他端は直径１２ｃｍの巻き取り用ローラーに固定し、平網状部上に被覆した。
【００３４】
巻き取り用ローラーを、上記凸状部材の１本目（２６ａ）と２本目（２６ｂ）の間に置くことによって、巻き取り用ローラーは、１本目の凸状部材によってできるフィルムの盛り上がりと２本目の凸状部材によってできるフィルムの盛り上がりの両方に接することとなり、より強固に巻き取り用ローラーを固定でき、より強固に風雨の侵入を防ぐことができた。また、２本目の凸状部材は巻き取り用ローラー固定部材としての役割も果たし、被覆シートに大きな張力が掛かることを防ぐことができた。
また、被覆シートを巻き上げたときには、巻き取り用ローラーを巻き取り用ローラー固定部材２７よりもハウス天頂部側に置くことによって、巻き取り用ローラーがずり落ちたり、被覆シートに大きな張力がかかるのを防ぐことができた。
【００３５】
【発明の効果】
本発明の農業用ハウスは、上記の構成を採用することにより、強風が吹いても被覆シートが捲り上がることがなく、被覆シートと被覆材の間からのハウス内への風雨の進入を抑制することができ、風を殺す作用を有する。また、被覆シート巻き上げ作業もスムーズに行えるものである。
また、本発明の農業用ハウスは、当然従来からある被覆材に平網状部を設けたことによるハウス内の温度や湿度の調節効果や、平網状部の開放状態における有害虫の侵入防止、雨滴が平網状部に当たることによって、雨滴が細分化され、噴霧状になってハウス内に入り込むという効果も有する。
【図面の簡単な説明】
【図１】本発明の農業用ハウスの一実施例を模式的に表す断面図である。
【図２】本発明の農業用ハウスの一実施例を模式的に表す断面図である。
【図３】本発明の農業用ハウスから被覆シートと巻き取り用ローラーを外した時の一例を示す斜視図である。
【図４】本発明の農業用ハウスから被覆シートと巻き取り用ローラーを外した時の一例を示す斜視図である。
【図５】従来の農業用ハウスを模式的に表す断面図である。
【符号の説明】
１１，２１，５１    ハウス骨組み
１２，２２，３２，４２，５２    被覆材の透明フィルム部分
１３，２３，３３，４３，５３    被覆材の平網状部
１４，２４，５４    被覆シート
１５，２５，５５    巻き取り用ローラー
１６，２６ａ，３６，４６    凸状部材
２６ｂ  凸状部材兼巻き取り用ローラー固定部材
２７  巻き取り用ローラー固定部材
【図１】
0004074723.tif 000002
【図２】
0004074723.tif 000003
【図３】
0004074723.tif 000004
【図４】
0004074723.tif 000005
【図５】
0004074723.tif 000006